(57)【要約】  本発明は、対応する対応差込みコネクタと機械的に結合し且つ電気的に接続する差込みコネクタ（１）であって、ケーシング（２）と、保護導体ブリッジ（３）と、保持フレーム（４）と、コネクタ挿入部（５）とを有しており、前記保持フレーム（４）は、前記ケーシング（２）に保持されており、前記保持フレーム（４）は、前記コネクタ挿入部（５）との結合用に、少なくとも１つの結合領域（９）を有しており、前記コネクタ挿入部（５）は、前記少なくとも１つの結合領域（９）に保持されており、前記保護導体ブリッジ（３）は、前記保持フレーム（４）の側方に挿入されている、差込みコネクタ（１）に関する。
2017520096.tif 000002
【特許請求の範囲】
【請求項１】
対応する対応差込みコネクタと機械的に結合し且つ電気的に接続する差込みコネクタ（１）であって、ケーシング（２）と、保護導体ブリッジ（３）と、保持フレーム（４）と、コネクタ挿入部（５）とを有しており、前記保持フレーム（４）は、前記ケーシング（２）に保持されており、前記保持フレーム（４）は、前記コネクタ挿入部（５）との結合用に、少なくとも１つの結合領域（９）を有しており、前記コネクタ挿入部（５）は、前記少なくとも１つの結合領域（９）に保持されている、差込みコネクタ（１）において、
前記保護導体ブリッジ（３）は、前記保持フレーム（４）の側方に挿入されていることを特徴とする、差込みコネクタ（１）。
【請求項２】
前記少なくとも１つの結合領域（９）は、前記コネクタ挿入部（５）とのねじ締結を生ぜしめるように形成されている、請求項１記載の差込みコネクタ（１）。
【請求項３】
前記少なくとも１つの結合領域（９）は、貫通孔（１１）を有している、請求項２記載の差込みコネクタ（１）。
【請求項４】
前記貫通孔（１１）は、雌ねじ山を備えて形成されている、請求項３記載の差込みコネクタ（１）。
【請求項５】
前記結合領域（９）において、前記保持フレーム（４）にはねじスリーブ（１０）が挿入されている、請求項３記載の差込みコネクタ（１）。
【請求項６】
前記ねじスリーブ（１０）は金属から製造されている、請求項５記載の差込みコネクタ（１）。
【請求項７】
前記保護導体ブリッジ（３）は、貫通孔（１３）を備えた少なくとも１つの舌片（１２）を有しており、前記貫通孔（１３）は、前記貫通孔（１１）に対して円対称に位置している、請求項１から６までのいずれか１項記載の差込みコネクタ（１）。
【請求項８】
前記保護導体ブリッジ（３）は、少なくとも１対の、それぞれ平行な舌片（１２，１４）を有しており、これらの舌片（１２，１４）は、それぞれ１つの貫通孔（１３，１５）を備えており、これらの貫通孔（１３，１５）は、互いに円対称である、請求項７記載の差込みコネクタ（１）。
【請求項９】
前記保護導体ブリッジ（３）の少なくとも１つの前記舌片（１２，１４）は、前記保持フレーム（４）に設けられたスリット（８）内に配置されている、請求項８記載の差込みコネクタ（１）。
【請求項１０】
第２の前記舌片（１２，１４）は、前記保持フレーム（４）の前記結合領域（９）に支持されている、請求項９記載の差込みコネクタ（１）。
【請求項１１】
前記保護導体ブリッジ（３）は、その両軸方向端部領域に形成された２対の舌片（１２，１４）を有している、請求項８から１０までのいずれか１項記載の差込みコネクタ（１）。
【請求項１２】
前記保持フレーム（４）は、該保持フレーム（４）を前記ケーシング（２）に結合する複数の固定手段（６）を有している、請求項１から１１までのいずれか１項記載の差込みコネクタ（１）。
【請求項１３】
前記固定手段（６）は、前記ケーシング（２）に設けられた対応する複数の係止手段（７）との係止を生ぜしめるために、係止手段として形成されている、請求項１２記載の差込みコネクタ（１）。
【請求項１４】
前記保護導体ブリッジ（３）は、金属薄板から一体的に製造されている、請求項１から１３までのいずれか１項記載の差込みコネクタ（１）。
【請求項１５】
前記ケーシング（２）はプラスチックから製造されている、請求項１から１４までのいずれか１項記載の差込みコネクタ（１）。
【請求項１６】
前記保持フレーム（４）はプラスチックから製造されている、請求項１から１５までのいずれか１項記載の差込みコネクタ（１）。
【発明の詳細な説明】
【技術分野】
【０００１】
本発明は、独立請求項１の上位概念に記載の差込みコネクタから出発する。
【０００２】
このような差込みコネクタと対応差込みコネクタとは従来技術において、２つの導電体或いは１つの導電体と１つの機器又は装置との間に電気的な接続と機械的な結合とを生ぜしめるために使用される。特に大電流伝送用には、ケーシングにより環境の影響から保護された、大型で重たい差込みコネクタが必要とされる。
【０００３】
前記のようなケーシングは、一般にアルミニウムから成っていて、ケーブルグランド取付け用のねじ山を備えている。この場合に見られる差込みコネクタは、複数の導電体（そのうちの１つが保護導体（ＰＥコンタクト）である）を接続するように構成されている。保護導体は、中性導体と組み合わされて、ＰＥＮコンタクトとして形成されていてもよい。保護導体は、保護導体ブリッジに接続されており、これにより、相応の保護導体機能が可能になると共に、保護導体により、差込みコネクタと対応差込みコネクタとを互いに接触接続状態にもたらすことができる。その他の導体は、コネクタ挿入部の電気コンタクトに接続されている。
【０００４】
差込みコネクタと対応差込みコネクタの原理的な構造は実質的に同じであってもよく、単に、電気的な接続を生ぜしめるための電気コンタクトの構造だけが異なっていることがある。つまり、差込みコネクタの構成は、対応差込みコネクタにも適宜に適用される。
【０００５】
差込みコネクタと対応差込みコネクタとは、差込みコネクタと対応差込みコネクタとの間に電気的な接続を生ぜしめるコネクタ‐ソケット原理に基づいて、それぞれ対応するように形成されている。差込みコネクタと対応差込みコネクタの電気コンタクトは、コンタクトピン又はコンタクトピン受容部として、それぞれ対応するように形成されていてもよい。差込みコネクタと対応差込みコネクタの各導体を確実に電気的に接続させるために、コネクタ挿入部はケーシングに不動に位置決めされている。
【０００６】
背景技術
独国特許出願公開第２０３３０１１号明細書から公知の、コネクタカバー内に配置されたコネクタ挿入部を備えた保護コンタクトコネクタの場合は、保護コンタクトが、コネクタ挿入部のコンタクト支持体に直接に取り付けられている。
【０００７】
独国特許発明第１０２００５０１９２４５号明細書からは、ＥＮ６０３０９による電気的な差込み装置、及びコンタクト支持体と包囲ケーシングとから成る保護コンタクト差込み装置が公知である。包囲ケーシングは、コンタクト支持体の収容及び固定に用いられ、コンタクト支持体は、包囲ケーシング内への軸方向挿入時に、包囲ケーシングとの摩擦接続的及び／又は形状接続的な係止結合を生ぜしめる複数の係止部材を有している。包囲ケーシングに設けられた１つ又は複数の係止解除部材を作動させることにより、係止を再び解除することができる。
【０００８】
上述した差込みコネクタにおける欠点は、保護導体ブリッジ及びコネクタ挿入部の取付けに手間がかかり、且つコネクタ挿入部と保護導体ブリッジの両方を取り付けるためには、ケーシング内に取付け空間を空けておかねばならない点にある。これにより、差込みコネクタを相応に大きく形成することが必要とされている。更に、このような差込みコネクタは重たいことが多く、このことはその取扱いを困難にしている。
【０００９】
これらの欠点から出発して、独国特許発明第１０２０１２１０１８１３号明細書に基づき提供される前記のような形式の差込みコネクタは、高い対費用効果で簡単に製造することができ、取り扱いやすく、差込みコネクタと対応差込みコネクタとの確実な機械的な結合及び電気的な接続を可能にする。
【００１０】
課題設定
本発明の課題は、前掲の独国特許発明第１０２０１２１０１８１３号明細書に記載の発明に対する迂回手段を提供することにある。更に、差込みコネクタにおけるコネクタ挿入部の安定性を向上させたい。
【００１１】
この課題は、本発明に基づき独立請求項記載の特徴により解決される。本発明の有利な構成は、各従属請求項に記載されている。
【００１２】
本発明は、対応する対応差込みコネクタと機械的に結合し且つ電気的に接続する差込みコネクタに関する。この場合、差込みコネクタと対応差込みコネクタとは同一に形成されていてもよい。差込みコネクタは、ケーブルと接続するケーブル用差込みコネクタとして、又は機器壁に取り付けられる取付け用差込みコネクタとして想定されていてもよい。
【００１３】
差込みコネクタは、内部に保持フレームが収容されたケーシングから成る。保持フレームは、コネクタ挿入部の取付けに用いられる。コネクタ挿入部は、対応する対応差込みコネクタのコネクタ挿入部との電気的な接触接続用に設けられている。
【００１４】
更に、差込みコネクタ内には、コネクタ挿入部の保護導体（ＰＥコンタクト）の接続に用いられる保護導体ブリッジが設けられている。
【００１５】
このために保護導体ブリッジは、本発明では保持フレーム内の側方に挿入されている。便宜上、保護導体ブリッジは導電性材料から製造されている。保護導体ブリッジの特に好適な構成では、保護導体ブリッジを金属薄板から製造することを想定している。この保護導体ブリッジは特にフレキシブルであり、加工しやすく、且つ廉価に製造され得る。
【００１６】
コネクタ挿入部を保持フレーム内に固定することができるようにするためには、保持フレームに少なくとも１つの結合領域が設けられている。この少なくとも１つの結合領域において、コネクタ挿入部を保持フレームに保持することができる。便宜上、保持フレームの結合領域は、コネクタ挿入部がねじ締結により保持フレームに固定され得るように形成されている。
【００１７】
このために本発明では、保持フレームの結合領域は、ねじを挿入可能な貫通孔を有している。このために貫通孔は、その内面に雌ねじ山を備えている。
【００１８】
１つの特別な実施形態において、保持フレームの結合領域には、ねじスリーブとして形成されたスリーブが挿入されている。このねじスリーブは、結合領域に回動不能に挿入されている。これにより、コネクタ挿入部を保持フレームに固定するねじを、結合領域に設けられたねじスリーブに螺入させることができるようになっている。特に有効なのは、確実な固定及びねじ締結を可能にするために、ねじスリーブを金属から形成することである。
【００１９】
１つの好適な実施形態において、保護導体ブリッジは、少なくとも１つの舌片を有しており、この場合、舌片は貫通孔を有している。貫通孔は、この貫通孔が保持フレームの結合領域に設けられた貫通孔に対して円対称に位置するように、舌片に設けられている。
【００２０】
更に舌片は、好適には結合領域の貫通孔に対して横方向に向けられたスリットに挿入されている。これにより舌片はやはり、結合領域の貫通孔に対して横方向に位置することになり、各貫通孔はそれぞれ整合するように、円対称に位置調整され得る。
【００２１】
１つの特に好適な実施形態において、保護導体ブリッジには２つの平行な舌片から成る少なくとも１対の舌片が設けられている。この場合、両舌片は各１つの貫通孔を有しており、舌片の各貫通孔は、それぞれ円対称に配置されている。
【００２２】
この実施形態では、両舌片のうちの少なくとも一方が、保持フレームに形成されたスリット内に設けられている。この場合、第２の舌片は、コネクタ挿入部と接触接続するように、結合領域上に配置されている。よって結合領域にコネクタ挿入部をねじ嵌めることにより、コネクタ挿入部と保護導体ブリッジとの間に導電接続が生じることになる。
【００２３】
別の実施形態では、ねじスリーブが舌片の少なくとも１つの貫通孔を貫通するように、ねじスリーブが保持フレームの結合領域に設けられていてもよい。特に有効なのは、ねじスリーブを、保持フレームのスリットに挿入された舌片の貫通孔を通して案内することである。これにより、舌片をスリットに挿入し、次いで貫通孔を貫通するねじスリーブを用いて脱落を防止することができる。
【００２４】
本発明の別の好適な実施形態において、保護導体ブリッジは２対の舌片を有している。この場合、各舌片対は、細長く形成された保護導体ブリッジの両端部領域に設けられている。これに相応してこの実施形態では、保持フレームは舌片を挿入可能な２つの結合領域を有している。
【００２５】
本発明に基づき、保持フレームは複数の固定手段を有しており、これらの固定手段は、保持フレームを差込みコネクタのケーシング内に固定するために設けられている。固定手段は、好適には係止手段として形成されている。これにより、保持フレームを差込みコネクタのケーシング内に係止することができる。ケーシング内に設けられた対応する係止手段が、保持フレームの固定手段の、ケーシング内での確実で持続的な係止に役立つ。
【００２６】
１つの好適な実施形態において、保持フレームには複数の固定手段が、互いに反対の向きで設けられている。逆向きに向けられた固定手段により、取付けケーシングとして形成されたケーシングでは、別のポジティブな効果が可能になる。この場合の取付けケーシングとは、ケーブル出口を有するケーシングではなく、ケーシング壁又は機器壁に取付け可能なケーシングである。
【００２７】
これらのケーシングの場合には、逆向きに向けられた固定手段に基づき、保持フレームを両側から、即ち、ケーシングの差込み側からも接続側からも、ケーシングに挿入することができる。
【００２８】
本発明の利点は特に、差込みコネクタのケーシングがプラスチックから成るケーシングである場合に有効になる。この場合には、やはり好適にはプラスチックから製造された保持フレームの係止が、特に有利且つ良好に実現され得る。保持フレームの固定手段と、ケーシングに設けられた対応する係止手段とは、全ての構成部材がプラスチックから製造されていると、特に良好で持続的な結合部を成す。
【図面の簡単な説明】
【００２９】
以下に、本発明の１つの実施例を図示して詳しく説明する。
【図１】差込みコネクタをケーシング無しで示す斜視図である。
【図２】保持フレームの斜視図である。
【図３】保護導体ブリッジの斜視図である。
【図４】差込みコネクタをコネクタ挿入部無しで断面して示す斜視図である。
【図５】保持フレームの結合領域を部分的に断面して示す斜視図である。
【００３０】
各図面には、部分的に簡略化された概略図が含まれる。部分的に、同じ部材には（場合によっては同じでない部材にも）同じ符号が用いられる。同じ部材の異なる図面の縮尺が異なっていることもあり得る。
【００３１】
図１には、本発明による差込みコネクタ１の斜視図が示されている。この場合は保持フレーム４と、コネクタ挿入部５と、保護導体ブリッジ３とが示されている。これらのコンポーネントを包囲するケーシング２は、図１には図示されていない。
【００３２】
保持フレーム４は、その４つの角隅部にそれぞれ結合領域９を有している。この結合領域９は、コネクタ挿入部５の固定用に設けられている。このためにコネクタ挿入部５は、４つのねじによって結合領域９に固くねじ締結されており、このようにして結合領域９に保持されている。
【００３３】
保持フレーム４には、その外面にわたって配分された複数の固定手段６が設けられている。係止手段として形成されたこれらの固定手段６は、ケーシング２内に保持フレームを係止するために用いられる。この場合、便宜上複数の固定手段６は互いに反対の方向に向けられており、これにより、脱落や、ケーシング２内への更なる進入が回避される。
【００３４】
保護導体ブリッジ３は、保持フレーム４の長手方向側に沿って挿入されている。この場合、保護導体ブリッジ３の本体は保持フレーム４に接触しており、保護導体ブリッジ３の両端部領域は、保持フレーム４の結合領域９に係合している。更に、結合領域９では、保護導体ブリッジ３とコネクタ挿入部５との間の接触接続が保証されている。
【００３５】
図２には、保持フレーム４が個別に斜視図で示されている。保持フレーム４の枠状の基本構造が認められる。更に、長手方向側と横方向側とには、ケーシング２内での保持フレーム４の係止に用いられる、複数の固定手段６が図示されている。互いに反対の方向に向けられた複数の係止手段により、ケーシング２内での保持フレーム４の確実な固定及び係止が保証され得る。
【００３６】
保持フレーム４の各角隅領域には、それぞれ結合領域９が設けられている。これらの結合領域９は、貫通孔１１によって形成されており、これらの貫通孔１１においてコネクタ挿入部５を固定することができる。
【００３７】
更に、各結合領域９にはスリット８が設けられている。スリット８は、貫通孔１１に対して横方向に向けられており、各スリット８は、貫通孔と垂直に交わっている。
【００３８】
図３には、本発明による保護導体ブリッジ３が個別に斜視図で示されている。細長い基体の両端部領域には、それぞれ１対の舌片１２，１４が一体成形されている。この場合、舌片１２，１４は、それぞれ平行に向けられている。
【００３９】
舌片１２，１４にはそれぞれ、貫通孔１３，１５が設けられている。この場合、貫通孔１３，１５は円対称であり、互いに整合するように位置調整されている。舌片１４は、保持フレーム４のスリット８内への挿入用に用いられる。舌片１２は、結合領域９に載置され、そこに取り付けられたコネクタ挿入部と電気的に接触接続するために設けられている。
【００４０】
この場合、保護導体ブリッジ３の貫通孔１３，１５と、結合領域９の貫通孔１１とは、互いに整合するように位置調整されている。これらの貫通孔１１，１３，１５を介して、固定部材、例えばねじを用いて、コネクタ挿入部５を保持フレームに固定することができるようになっている。
【００４１】
図４には結合領域９が、コネクタ挿入部無しの差込みコネクタを断面して示す斜視図として図示されている。保持フレーム４がケーシング２内に挿入されている様子が認められる。結合領域９は、ケーシング２における角隅点を形成すると共に、コネクタ挿入部５の支持及び固定に用いられる。
【００４２】
図５には、保持フレーム４の結合領域９を部分的に断面して示す斜視図が図示されており、この図面では、結合領域９の内部を見ることができる。このために保持フレーム４は、結合領域９の範囲を断面して示されている。
【００４３】
結合領域９に設けられた貫通孔１１と、保護導体ブリッジ３の舌片１４が挿入されたスリット８とが認められる。保護導体ブリッジ３の舌片１２は、結合領域９の上部域に支持されている。
【００４４】
結合領域９の貫通孔１１内には、ねじスリーブ１０が設けられており、ねじスリーブ１０は、貫通孔１１全体を占めている。ねじスリーブ１０は、保護導体ブリッジ３の貫通孔１５を貫通して係合しており、これにより、保護導体ブリッジ３は脱落防止されている。
【００４５】
同時にねじスリーブ１０は、上部域において舌片１２に接触接続している。ねじを用いて、コネクタ挿入部５と舌片１２とを、ねじスリーブ１０にねじ締結する。ねじスリーブ１０は下部域に多角構造を有しており、これにより、ねじスリーブがねじ締結時に貫通孔１１内で回動しないようになっている。
【符号の説明】
【００４６】
１  差込みコネクタ
２  ケーシング
３  保護導体ブリッジ
４  保持フレーム
５  コネクタ挿入部
６  固定手段
７  係止手段
８  スリット
９  結合領域
１０  ねじスリーブ
１１  貫通孔
１２  舌片
１３  貫通孔
１４  舌片
１５  貫通孔
【図１】
2017520096.tif 000003
【図２】
2017520096.tif 000004
【図３】
2017520096.tif 000005
【図４】
2017520096.tif 000006
【図５】
2017520096.tif 000007
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
対応する対応差込みコネクタと機械的に結合し且つ電気的に接続する差込みコネクタ（１）であって、ケーシング（２）と、保護導体ブリッジ（３）と、保持フレーム（４）と、コネクタ挿入部（５）とを有しており、前記保持フレーム（４）は、前記ケーシング（２）に保持されており、前記保持フレーム（４）は、前記コネクタ挿入部（５）との結合用に、少なくとも１つの結合領域（９）を有しており、前記コネクタ挿入部（５）は、前記少なくとも１つの結合領域（９）に保持されており、前記保護導体ブリッジ（３）は、前記保持フレーム（４）の側方に挿入されている、差込みコネクタ（１）において、
前記少なくとも１つの結合領域（９）は、前記コネクタ挿入部（５）とのねじ締結を生ぜしめるように形成されており、前記少なくとも１つの結合領域（９）は、第１の貫通孔（１１）を有しており、
前記保護導体ブリッジ（３）は、第２の貫通孔（１３）を備えた少なくとも１つの舌片（１２）を有しており、前記第２の貫通孔（１３）は、前記第１の貫通孔（１１）に対して円対称に位置していることを特徴とする、差込みコネクタ（１）。
【請求項２】
前記第１の貫通孔（１１）は、雌ねじ山を備えて形成されている、請求項１記載の差込みコネクタ（１）。
【請求項３】
前記結合領域（９）において、前記保持フレーム（４）にはねじスリーブ（１０）が挿入されている、請求項１記載の差込みコネクタ（１）。
【請求項４】
前記ねじスリーブ（１０）は金属から製造されている、請求項３記載の差込みコネクタ（１）。
【請求項５】
前記保護導体ブリッジ（３）は、少なくとも１対の、それぞれ平行な舌片（１２，１４）を有しており、これらの舌片（１２，１４）は、それぞれ１つの第２及び第３の貫通孔（１３，１５）を備えており、前記第２及び第３の貫通孔（１３，１５）は、互いに円対称である、請求項１から４までのいずれか１項記載の差込みコネクタ（１）。
【請求項６】
前記保護導体ブリッジ（３）の少なくとも１つの前記舌片（１２，１４）は、前記保持フレーム（４）に設けられたスリット（８）内に配置されている、請求項５記載の差込みコネクタ（１）。
【請求項７】
第２の前記舌片（１２，１４）は、前記保持フレーム（４）の前記結合領域（９）に支持されている、請求項６記載の差込みコネクタ（１）。
【請求項８】
前記保護導体ブリッジ（３）は、その両軸方向端部領域に形成された２対の舌片（１２，１４）を有している、請求項５から７までのいずれか１項記載の差込みコネクタ（１）。
【請求項９】
前記保持フレーム（４）は、該保持フレーム（４）を前記ケーシング（２）に結合する複数の固定手段（６）を有している、請求項１から８までのいずれか１項記載の差込みコネクタ（１）。
【請求項１０】
前記固定手段（６）は、前記ケーシング（２）に設けられた対応する複数の係止手段（７）との係止を生ぜしめるために、係止手段として形成されている、請求項９記載の差込みコネクタ（１）。
【請求項１１】
前記保護導体ブリッジ（３）は、金属薄板から一体的に製造されている、請求項１から１０までのいずれか１項記載の差込みコネクタ（１）。
【請求項１２】
前記ケーシング（２）はプラスチックから製造されている、請求項１から１１までのいずれか１項記載の差込みコネクタ（１）。
【請求項１３】
前記保持フレーム（４）はプラスチックから製造されている、請求項１から１２までのいずれか１項記載の差込みコネクタ（１）。
【国際調査報告】
2017520096.tif 000008
2017520096.tif 000009
2017520096.tif 000010
2017520096.tif 000011